(57)【要約】      （修正有）【課題】軽く、容易に持ち運ぶことができる支柱用支持台および支柱付き基礎台を提供する。【解決手段】基台２１が、上部開口２１ａを有する筒体から成り、設置面に固定可能に設けられている。蓋体２２が、上部開口２１ａを覆うよう基台２１に設けられ、上面に上方に伸びるよう一体的に設けられた筒状の支柱取付部を有している。支柱１２が、支柱取付部の内側に挿入して固定され、上方に向かって伸びている。機器取付部材１３が、支柱１２の上端に設けられている。基台２１、蓋体２２、支柱１２および機器取付部材１３は、ＦＲＰ製である。【選択図】図１
0003192353.tif 000002
【実用新案登録請求の範囲】
【請求項１】
上部開口を有する筒体から成り、設置面に固定可能に設けられたＦＲＰ製の基台と、
前記上部開口を覆うよう前記基台に設けられ、上面に上方に伸びるよう一体的に設けられた筒状の支柱取付部を有するＦＲＰ製の蓋体とを、
有することを特徴とする支柱用支持台。
【請求項２】
前記基台は内側に底部を有し、前記上部開口の周縁に沿って外フランジを有し、
前記蓋体は、前記上部開口および前記外フランジの上面を覆うよう前記基台に設けられ、前記外フランジの側面を覆うよう、外周縁に沿って下方に突出して設けられた周縁部を有し、前記支柱取付部の内側に前記支柱取付部の内部と前記基台の内部とを連通する貫通孔を有していることを、
特徴とする請求項１記載の支柱用支持台。
【請求項３】
請求項１または２記載の支柱用支持台と、
前記支柱取付部の内側に挿入して固定され、上方に向かって伸びるＦＲＰ製の支柱と、
前記支柱の上端に設けられたＦＲＰ製の機器取付部材とを、
有することを特徴とする支柱付き基礎台。
【請求項４】
前記機器取付部材は、前記支柱を挿入可能に設けられた挿入孔を有し、前記挿入孔に前記支柱の上端を挿入して前記支柱に固定されており、
前記支柱取付部と前記支柱との間、および、前記支柱と前記機器取付部材との間にガラス繊維製のシートを挟んで成ることを、
特徴とする請求項３記載の支柱付き基礎台。
【考案の詳細な説明】
【技術分野】
【０００１】
本考案は、支柱用支持台および支柱付き基礎台に関する。
【背景技術】
【０００２】
従来の支柱用の基礎として、支柱を差し込む通し孔を有し、通し孔に支柱を差し込んだ後、通し孔にコンクリートを流し込んで支柱を固定可能なコンクリート製の基礎ブロックがある（例えば、特許文献１参照）。
【先行技術文献】
【特許文献】
【０００３】
【特許文献１】特開２０００−９６５８１号公報
【考案の概要】
【考案が解決しようとする課題】
【０００４】
特許文献１に記載の基礎ブロックは、コンクリート製であるため重く、持ち運びに労力を要するという課題があった。
【０００５】
本考案は、このような課題に着目してなされたもので、軽く、容易に持ち運ぶことができる支柱用支持台および支柱付き基礎台を提供することを目的としている。
【課題を解決するための手段】
【０００６】
上記目的を達成するために、本考案に係る支柱用支持台は、上部開口を有する筒体から成り、設置面に固定可能に設けられたＦＲＰ製の基台と、前記上部開口を覆うよう前記基台に設けられ、上面に上方に伸びるよう一体的に設けられた筒状の支柱取付部を有するＦＲＰ製の蓋体とを、有することを特徴とする。
【０００７】
本考案に係る支柱用支持台は、基台を設置面に固定した後、基台の上部開口を覆うよう蓋体を基台に固定し、蓋体の支柱取付部の内部に支柱を差し込んで固定することにより、支柱を取り付けることができる。基台および蓋体がＦＲＰ製であり、基台が内部に空間を有する筒体から成るため、コンクリート製や鉄製のものに比べて軽い。このため、容易に持ち運ぶことができ、設置も容易で、施工性に優れている。
【０００８】
支柱取付部が蓋体に一体的に設けられているため、蓋体と支柱取付部とが別々に分かれている場合と比べて、設置のための作業工程が少なくなり、設置作業時間を短縮することができる。基台および蓋体がＦＲＰ製であるため、耐候性、耐久性および耐蝕性に優れている。支柱取付部は、取り付ける支柱がほぼ隙間なく嵌るよう、支柱の断面形状と同じか僅かに大きい内部断面形状を有していることが好ましい。基台は、円筒状であっても角筒状であってもよい。基台および蓋体は、さらに耐候性、耐久性および耐蝕性を高めるために、フッ素コーティングされていてもよい。
【０００９】
本考案に係る支柱用支持台で、前記基台は内側に底部を有し、前記上部開口の周縁に沿って外フランジを有し、前記蓋体は、前記上部開口および前記外フランジの上面を覆うよう前記基台に設けられ、前記外フランジの側面を覆うよう、外周縁に沿って下方に突出して設けられた周縁部を有し、前記支柱取付部の内側に前記支柱取付部の内部と前記基台の内部とを連通する貫通孔を有していることが好ましい。この場合、蓋体を、外フランジの位置で基台に固定することができる。支柱を基台の内部まで差し込むことができ、支柱取付時の安定性を高めることができる。また、基台の内部に差し込む長さを調整することにより、支柱の高さを調整することもできる。
【００１０】
本考案に係る支柱付き基礎台は、本考案に係る支柱用支持台と、前記支柱取付部の内側に挿入して固定され、上方に向かって伸びるＦＲＰ製の支柱と、前記支柱の上端に設けられたＦＲＰ製の機器取付部材とを、有することを特徴とする。
【００１１】
本考案に係る支柱付き基礎台は、基台および蓋体だけでなく、支柱および機器取付部材がＦＲＰ製であるため、コンクリート製や鉄製のものに比べて軽い。このため、容易に持ち運ぶことができ、設置も容易で、施工性に優れている。また、耐候性、耐久性および耐蝕性に優れている。本考案に係る支柱付き基礎台は、支柱の上端に設けられた機器取付部材に、携帯電話のアンテナなどの設備機器を取り付けることができる。支柱および機器取付部材は、さらに耐候性、耐久性および耐蝕性を高めるために、フッ素コーティングされていてもよい。
【００１２】
本考案に係る支柱付き基礎台で、前記機器取付部材は、前記支柱を挿入可能に設けられた挿入孔を有し、前記挿入孔に前記支柱の上端を挿入して前記支柱に固定されており、前記支柱取付部と前記支柱との間、および、前記支柱と前記機器取付部材との間にガラス繊維製のシートを挟んで成ることが好ましい。この場合、ガラス繊維製のシートにより、支柱取付部と支柱との間、および、支柱と機器取付部材との間の隙間を塞ぐことができ、各部材を互いにより強固に固定することができる。また、支柱取付部と支柱、および、支柱と機器取付部材とをそれぞれ接着剤で固定するとき、ガラス繊維製のシートにより、接着剤のはく離を防止することができる。ガラス繊維製のシートは、例えば、ガラスマットから成る。
【考案の効果】
【００１３】
本考案によれば、軽く、容易に持ち運ぶことができる支柱用支持台および支柱付き基礎台を提供することができる。
【図面の簡単な説明】
【００１４】
【図１】本考案の実施の形態の支柱付き基礎台を示す正面図である。
【図２】図１に示す支柱付き基礎の蓋体を示す（ａ）平面図、（ｂ）正面図、（ｃ）縦断面図である。
【図３】図１に示す支柱付き基礎の機器取付部材を示す（ａ）平面図、（ｂ）正面図、（ｃ）縦断面図である。
【考案を実施するための形態】
【００１５】
以下、図面に基づき、本考案の実施の形態について説明する。
図１乃至図３は、本考案の実施の形態の支柱用支持台および支柱付き基礎台を示している。
図１に示すように、支柱付き基礎台１０は、支柱用支持台１１と支柱１２と機器取付部材１３とを有している。
【００１６】
支柱用支持台１１は、基台２１と蓋体２２とを有している。基台２１は、横断面がほほ正方形状の角筒から成り、上部開口２１ａを有している。基台２１は、内側に底部を有し、上部開口２１ａの外周縁に沿って環状の外フランジ２１ｂを有している。基台２１は、内側から底部を貫通するアンカーボルト２１ｃなどを取り付けることにより、設置面に固定可能になっている。基台２１は、ＦＲＰ（繊維強化プラスチック）製で、フッ素コーティングされている。
【００１７】
蓋体２２は、基台２１の上部開口２１ａおよび外フランジ２１ｂを覆うよう基台２１に設けられている。図２に示すように、蓋体２２は、上部開口２１ａおよび外フランジ２１ｂの上面を覆う矩形板状の上板部２２ａと、外フランジ２１ｂの側面を覆うよう、上板部２２ａの外周縁に沿って下方に突出して設けられた周縁部２２ｂとを有している。蓋体２２は、上面の中央に、上方に伸びるよう一体的に設けられた円筒状の支柱取付部２２ｃを有している。また、蓋体２２は、支柱取付部２２ｃの内側に、支柱取付部２２ｃの内部と基台２１の内部とを連通する貫通孔２２ｄを有している。図１に示すように、蓋体２２は、ボルトを外フランジ２１ｂから上板部２２ａに貫通させて、上方からナットで締め付けることにより、基台２１に固定されている。蓋体２２は、ＦＲＰ製で、フッ素コーティングされている。
【００１８】
図１に示すように、支柱１２は、円筒状を成し、所定の長さを有している。また、支柱１２は、蓋体２２の支柱取付部２２ｃの内径より僅かに小さい外径を有している。支柱１２は、蓋体２２から上方に向かって伸びるよう、支柱取付部２２ｃとの間にガラス繊維製のシート２３を挟んだ状態で、接着剤により支柱取付部２２ｃに固定されている。支柱１２は、ＦＲＰ製で、フッ素コーティングされている。また、ガラス繊維製のシート２３は、市販のガラスマットから成っている。
【００１９】
図３に示すように、機器取付部材１３は、円筒状を成し、一方の開口の周縁に沿って設けられたフランジ部１３ａを有している。機器取付部材１３は、内側が支柱１２を挿入可能な挿入孔１３ｂを成しており、支柱１２の外径より僅かに大きい内径を有している。図１に示すように、機器取付部材１３は、フランジ部１３ａを上にした状態で、挿入孔１３ｂに支柱１２の上端を挿入して支柱１２に固定されている。機器取付部材１３は、支柱１２との間にガラス繊維製のシート２４を挟んだ状態で、接着剤により支柱１２に固定されている。機器取付部材１３は、ＦＲＰ製で、フッ素コーティングされている。また、ガラス繊維製のシート２４は、市販のガラスマットから成っている。
【００２０】
次に、作用について説明する。
支柱付き基礎台１０は、支柱用支持台１１の基台２１を設置面に固定した後、基台２１の上部開口２１ａを覆うよう蓋体２２を基台２１に固定し、蓋体２２の支柱取付部２２ｃの内部に支柱１２を差し込んで固定することにより、支柱１２を取り付けることができる。また、支柱１２の上端に機器取付部材１３の挿入孔１３ｂを挿入することにより、機器取付部材１３を取り付けることができる。なお、あらかじめ蓋体２２と支柱１２、支柱１２と機器取付部材１３とを固定していてもよい。基台２１、蓋体２２、支柱１２および機器取付部材１３がＦＲＰ製であり、基台２１および支柱１２が筒状であるため、コンクリート製や鉄製のものに比べて軽い。このため、容易に持ち運ぶことができ、設置も容易で、施工性に優れている。
【００２１】
支柱取付部２２ｃが蓋体２２に一体的に設けられているため、蓋体２２と支柱取付部２２ｃとが別々に分かれている場合と比べて、設置のための作業工程が少なくなり、設置作業時間を短縮することができる。また、あらかじめ蓋体２２と支柱１２、支柱１２と機器取付部材１３とを固定しておくことにより、現場での設置作業時間をさらに短縮することができる。基台２１、蓋体２２、支柱１２および機器取付部材１３がＦＲＰ製で、さらにフッ素コーティングされているため、耐候性、耐久性および耐蝕性に優れている。
【００２２】
支柱付き基礎台１０は、ガラス繊維製のシート２３、２４により、それぞれ支柱取付部２２ｃと支柱１２との間、および、支柱１２と機器取付部材１３との間の隙間を塞ぐことができ、各部材を互いにより強固に固定することができる。また、ガラス繊維製のシート２３、２４により、支柱取付部２２ｃと支柱１２、および、支柱１２と機器取付部材１３とを固定する接着剤のはく離を防止することができる。支柱付き基礎台１０は、支柱１２を基台２１の内部まで差し込むことができ、支柱１２の取付時の安定性を高めることができる。また、基台２１の内部に差し込む長さを調整することにより、支柱１２の高さを調整することもできる。
【００２３】
支柱付き基礎台１０は、支柱１２の上端に設けられた機器取付部材１３に、携帯電話のアンテナなどの設備機器を取り付けることができる。図１に示す具体的な一例では、別の支柱５２および機器取付部材５３を利用して、携帯電話のアンテナ１を支柱付き基礎台１０の機器取付部材１３の上に固定している。すなわち、支柱５２の一端に機器取付部材５３を固定し、機器取付部材５３を下にして、そのフランジ部５３ａと機器取付部材１３のフランジ部１３ａとを向かい合わせてボルトおよびナットで固定し、支柱５２の他端側の上端に、アンテナ１を固定している。このように、支柱付き基礎台１０は、別の支柱５２や機器取付部材５３などを利用して、機器取付部材１３に設備機器を固定してもよく、機器取付部材１３に直接、設備機器を固定してもよい。支柱付き基礎台１０は、携帯電話のアンテナの他にも、避雷針、防犯カメラ、照明等の設備機器を固定して支持することができる。
【符号の説明】
【００２４】
１  アンテナ
１０  支柱付き基礎台
１１  支柱用支持台
１２  支柱
１３  機器取付部材
１３ａ  フランジ部
１３ｂ  挿入孔
２１  基台
２１ａ  上部開口
２１ｂ  外フランジ
２１ｃ  アンカーボルト
２２  蓋体
２２ａ  上板部
２２ｂ  周縁部
２２ｃ  支柱取付部
２２ｄ  貫通孔
２３、２４  シート
【図１】
0003192353.tif 000003
【図２】
0003192353.tif 000004
【図３】
0003192353.tif 000005